(57)【要約】【課題】使用状況により，天地を逆転させて画像を表示することが可能な携帯情報端末を提供する。【解決手段】スクリーンセーバー起動部１０６は，入力部１０２からの入力をタイマーで監視し，規定時間以上の入力がなければ，スクリーンセーバー表示制御部１０７にスクリーンセーバーの起動を通知する。スクリーンセーバー表示制御部１０７は，表示逆転スイッチがＯＦＦであれば通常の画像データを取得し，表示逆転スイッチがＯＮであれば天地が逆転した画像データを取得し，切替部１０９に送る。切替部１０９は，スクリーンセーバー起動部１０６からスクリーンセーバーの起動の通知があると，スクリーンセーバー表示制御部１０７からの画像データを表示部１１０に送り，表示部１１０はその画像データを表示する。【選択図】図１
2006059290.tif 000002
【特許請求の範囲】
【請求項１】
携帯情報装置であって，
通常の画像のデータとともに，その通常の画像のデータの天地を逆転した画像のデータを記憶する画像データ記憶手段と，
切替手段と，
前記切替手段が第１の状態である場合に，前記画像データ記憶手段に記憶されている天地を逆転した画像を表示し，前記切替手段が第２の状態である場合に，前記画像データ記憶手段に記憶されている通常の画像を表示する表示制御手段とを備える
ことを特徴とする携帯情報装置。
【請求項２】
携帯情報装置であって，
表示画像のデータを記憶する画像データ記憶手段と，
切替手段と，
前記切替手段が第１の状態である場合に，前記画像データ記憶手段に記憶されている表示画像のデータを天地を逆転した画像のデータに変換し，その天地を逆転した画像を表示し，前記切替手段が第２の状態である場合に，前記画像データ記憶手段に記憶されている表示画像を表示する表示制御手段とを備える
ことを特徴とする携帯情報装置。
【請求項３】
請求項１または請求項２に記載の携帯情報装置において，
ストラップを取り付ける取り付け部を備え，
前記切替手段は前記取り付け部に連動し，前記ストラップに張力が働くときに前記取り付け部を介して前記切替手段が第１の状態になり，前記ストラップに張力が働かないときに前記取り付け部を介して前記切替手段が第２の状態になる
ことを特徴とする携帯情報装置。
【請求項４】
携帯情報装置であって，
通常の画像のデータとともに，その通常の画像のデータの天地を逆転した画像のデータを記憶する画像データ記憶手段と，
表示画像の天地を逆転する第１の状態と，表示画像の天地を逆転しない第２の状態とのいずれかを設定する設定情報の入力手段と，
前記設定情報が第１の状態である場合に，前記画像データ記憶手段に記憶されている天地を逆転した画像を表示し，前記設定情報が第２の状態である場合に，前記画像データ記憶手段に記憶されている通常の画像を表示する表示制御手段とを備える
ことを特徴とする携帯情報装置。
【請求項５】
スクリーンセーバーを有する携帯情報装置であって，
操作時における画面の上方向が画像の下方向に，画面の下方向が画像の上方向に対応するように天地を逆転したスクリーンセーバーの画像データを記憶する画像データ記憶手段と，
あらかじめ定められた時間を超えて無操作状態が続いたときに，前記画像データ記憶手段に記憶された天地を逆転したスクリーンセーバーの画像データを画面に表示するスクリーンセーバーの表示制御手段とを備える
ことを特徴とする携帯情報装置。
【発明の詳細な説明】
【技術分野】
【０００１】
本発明は，ＰＤＡや携帯電話等の携帯情報装置に関するものである。
【背景技術】
【０００２】
携帯情報端末を，ネックストラップ等を用いて首に掛けて使用する場合がある。このとき，携帯情報端末の上部にネックストラップを取り付ける場合と，携帯情報端末の下部にネックストラップを取り付ける場合とがある。
【０００３】
図９は，携帯情報端末の上部にネックストラップを取り付けた場合の例を示す図である。図９（Ａ）は携帯情報端末５０の未操作時の例を示し，図９（Ｂ）は携帯情報端末５０の操作時の例を示す。
【０００４】
携帯情報端末５０の上部にネックストラップ６０を取り付けた場合には，図９（Ａ）に示すように，未操作時に携帯情報端末５０の天地は逆にならない。しかし，図９（Ｂ）に示すように，操作時にネックストラップ６０の紐が携帯情報端末５０の画面に掛かることがある。
【０００５】
図１０は，携帯情報端末の下部にネックストラップを取り付けた場合の例を示す図である。図１０（Ａ）は携帯情報端末５０の未操作時の例を示し，図１０（Ｂ）は携帯情報端末５０の操作時の例を示す。
【０００６】
携帯情報端末５０の下部にネックストラップ６０を取り付けた場合には，図１０（Ｂ）に示すように，操作時にネックストラップ６０の紐が携帯情報端末５０の画面に掛かることはない。しかし，図１０（Ａ）に示すように，未操作時に携帯情報端末５０の天地が逆となる。
【０００７】
なお，“携帯情報端末”，“表示画像”，“逆転”，“スクリーンセーバー”等のキーワードの組み合わせを用いて，先行技術文献の検索を行ったが，該当するものはなかった。
【発明の開示】
【発明が解決しようとする課題】
【０００８】
例えば，イベント会場でスタッフが首から下げて携帯情報端末を使用する場合には，客に対してイベントをアピールするため，未操作時の携帯情報端末の画面にスクリーンセーバー等を用いてイベントの案内などを流すことがある。
【０００９】
図９に示すように，携帯情報端末の上部にネックストラップを取り付けた場合には，未操作時に携帯情報端末の天地が逆にならないので，そのまま画面にイベントの案内などを流すことができる。しかし，操作時にネックストラップの紐が携帯情報端末の画面に掛かることがあるので，不便であるという問題がある。
【００１０】
また，図１０に示すように，携帯情報端末の下部にネックストラップを取り付けた場合には，操作時にネックストラップの紐が携帯情報端末の画面に掛かることはないので，便利である。しかし，未操作時に携帯情報端末の天地が逆になってしまうので，画面にイベントの案内などを流すことができないという問題がある。
【００１１】
本発明は，上記の問題点の解決を図り，携帯情報端末を首に掛けて使用する場合において，ネックストラップ等の紐が邪魔にならず，未操作時に画面の上下が正しく表示されることが可能となる技術を提供することを目的とする。
【課題を解決するための手段】
【００１２】
本発明は，上記の課題を解決するため，「表示画像の天地を逆転する」か，または「表示画像の天地を逆転しない」かを切替える手段を備え，必要な場合には天地を逆転して画像を表示することを特徴とする。
【００１３】
これにより，携帯情報装置が逆さ状態で首に掛けられていても，上下正しく画像を表示することが可能となる。
【００１４】
具体的には，本発明は，携帯情報装置であって，通常の画像のデータとともにその通常の画像のデータの天地を逆転した画像のデータを記憶する手段と，「表示画像の天地を逆転する」かまたは「表示画像の天地を逆転しない」かを切替える切替手段と，切替手段が「表示画像の天地を逆転する」である場合には天地を逆転した画像を表示し，切替手段が「表示画像の天地を逆転しない」である場合には通常の画像を表示する手段とを備えることを特徴とする。
【００１５】
また，天地を逆転して画像を表示することが可能な携帯情報装置であって，画像のデータを記憶する手段と，「表示画像の天地を逆転する」かまたは「表示画像の天地を逆転しない」かを切替える切替手段と，切替手段が「表示画像の天地を逆転する」である場合には，記憶されている画像のデータを天地を逆転した画像のデータに変換する手段と，切替手段が「表示画像の天地を逆転する」である場合には天地を逆転した画像に変換した画像を表示し，切替手段が「表示画像の天地を逆転しない」である場合には記憶されている画像を表示する手段とを備えることを特徴とする。
【００１６】
また，以上のような携帯情報装置において，ストラップを取り付ける取り付け部を備え，切替手段は取り付け部に連動し，ストラップがピンと張ったときには取り付け部を介して切替手段が「表示画像の天地を逆転する」となり，ストラップが緩んだときには取り付け部を介して切替手段が「表示画像の天地を逆転しない」となることを特徴とする。
【００１７】
また，天地を逆転して画像を表示することが可能な携帯情報装置であって，通常の画像のデータとともにその通常の画像のデータの天地を逆転した画像のデータを記憶する手段と，「表示画像の天地を逆転する」かまたは「表示画像の天地を逆転しない」かの設定を受け付ける手段と，設定が「表示画像の天地を逆転する」である場合には天地を逆転した画像を表示し，設定が「表示画像の天地を逆転しない」である場合には通常の画像を表示する手段とを備えることを特徴とする。
【００１８】
また，天地を逆転して画像を表示することが可能な携帯情報装置であって，画像のデータを記憶する手段と，「表示画像の天地を逆転する」かまたは「表示画像の天地を逆転しない」かの設定を受け付ける手段と，設定が「表示画像の天地を逆転する」である場合には，記憶されている画像のデータを天地を逆転した画像のデータに変換する手段と，設定が「表示画像の天地を逆転する」である場合には天地を逆転した画像に変換した画像を表示し，設定が「表示画像の天地を逆転しない」である場合には記憶されている画像を表示する手段とを備えることを特徴とする。
【００１９】
また，携帯情報装置を首に掛けて使用する場合において，ネックストラップ等の紐が邪魔にならず，未操作時に画面の上下が正しく表示されることを可能にするという上記課題は，スクリーンセーバーを有する携帯情報装置において，操作時における画面の上方向が画像の下方向に，画面の下方向が画像の上方向に対応するように天地を逆転したスクリーンセーバーの画像データを記憶する画像データ記憶手段と，あらかじめ定められた時間を超えて未操作状態が続いたときに，前記画像データ記憶手段に記憶された天地を逆転したスクリーンセーバーの画像データを画面に表示するスクリーンセーバーの表示制御手段とを備えることによっても解決される。
【発明の効果】
【００２０】
本発明によれば，例えば，携帯情報装置の下部にネックストラップを取り付けることにより，その未操作時に天地が逆となってぶら下げられていても，そこに表示される画像は見た目の上で天地が逆とならない。また，携帯情報装置の下部にネックストラップが取り付けられているので，その操作時にネックストラップの紐が邪魔にならない。
【発明を実施するための最良の形態】
【００２１】
以下，本発明の実施の形態について，図を用いて説明する。
【００２２】
〔実施の形態１〕
図１は，本発明の実施の形態１における携帯情報端末の構成例を示す図である。携帯情報端末１０は，ＣＰＵ等の主制御部１０１と，操作キー，タッチパネル等の入力部１０２と，画像を逆転表示させるための切替手段である表示逆転スイッチ１０３と，アプリケーションプログラム等の処理を行う端末情報処理部１０４と，アプリケーションプログラム等による画像表示を制御する端末表示制御部１０５と，スクリーンセーバーの起動を監視するスクリーンセーバー起動部１０６と，スクリーンセーバーの表示を制御するスクリーンセーバー表示制御部１０７と，表示するスクリーンセーバーの画像データが記憶されているスクリーンセーバーデータ記憶部１０８と，表示する画像を切替える切替部１０９と，画像を表示する液晶ディスプレイ等の表示部１１０とから構成される。
【００２３】
ここで，本実施の形態１では，正方向のスクリーンセーバーの画像データと，上下が逆方向のスクリーンセーバーの画像データとがあらかじめ対応づけられて，スクリーンセーバーデータ記憶部１０８に記憶されているものとする。
【００２４】
操作キーやタッチパネル等の入力部１０２からの入力があると，端末情報処理部１０４はその入力に対応する処理を実行する。その際，端末表示制御部１０５は画面に表示する必要のある画像のデータを切替部１０９に送る。
【００２５】
スクリーンセーバー起動部１０６は，入力部１０２からの入力をタイマー監視し，あらかじめ規定された時間，入力がなければ，スクリーンセーバーの起動をスクリーンセーバー表示制御部１０７に通知する。このとき，スクリーンセーバーを起動する旨の通知を切替部１０９に送る。その後，入力部１０２による入力があれば，スクリーンセーバーを終了する旨の通知をスクリーンセーバー表示制御部１０７と切替部１０９とに送る。
【００２６】
スクリーンセーバー表示制御部１０７は，スクリーンセーバー起動部１０６からスクリーンセーバーを起動する旨の通知を受けると，スクリーンセーバーデータ記憶部１０８からスクリーンセーバーの画像データを取得し，取得した画像データを切替部１０９に送る。このとき，表示逆転スイッチ１０３がＯＦＦになっていれば，正方向のスクリーンセーバーの画像データを送る。表示逆転スイッチ１０３がＯＮになっていれば，上下が逆方向のスクリーンセーバーの画像データを送る。
【００２７】
切替部１０９は，スクリーンセーバーを起動する旨の通知がある場合には，スクリーンセーバー表示制御部１０７から送られたスクリーンセーバーの画像データを表示部１１０に送る。スクリーンセーバーを起動する旨の通知がない場合には，端末表示制御部１０５から送られた画像データを表示部１１０に送る。
【００２８】
図２は，本実施の形態１におけるスクリーンセーバー起動処理フローチャートである。まず，タイマーを起動する（ステップＳ１０）。外部からの操作を監視し（ステップＳ１１），操作が検出されれば，タイマーをリセットし（ステップＳ１２），操作に対応する処理を実行し（ステップＳ１３），ステップＳ１０にもどる。
【００２９】
タイマーの値があらかじめ設定されている規定時間を越えるまで，外部からの操作が検出されない状態が継続した場合には（ステップＳ１４），ステップＳ１５へ進み，スクリーンセーバーを起動する。次に，表示逆転スイッチ１０３のＯＮ／ＯＦＦを確認し（ステップＳ１６），ＯＮであれば，上下が逆方向のスクリーンセーバーの画像を表示し（ステップＳ１７），ＯＦＦであれば，正方向のスクリーンセーバーの画像を表示する（ステップＳ１８）。
【００３０】
その後，外部からの操作を監視し（ステップＳ１９），操作が検出されれば，スクリーンセーバーを終了し（ステップＳ２０），ステップＳ１３に戻る。
【００３１】
図３は，本実施の形態における表示逆転スイッチの例を説明する図である。図３（Ａ），（Ｂ）は，携帯情報端末１０の外面に表示逆転スイッチ１０３が備えられている場合の例を示し，図３（Ｃ）〜（Ｅ）は，携帯情報端末１０の取り付け部３０に表示逆転スイッチ１０３が備えられている場合の例を示す。
【００３２】
図３（Ａ）は表示逆転スイッチ１０３がＯＦＦの状態であり，表示画面には通常の画像が表示されている。図３（Ｂ）は表示逆転スイッチ１０３がＯＮの状態であり，表示画面には天地を逆転して作成された画像が表示されている。携帯情報端末１０のユーザは，表示逆転スイッチ１０３をＯＮ／ＯＦＦすることにより，天地を逆転して作成された画像を表示するか，通常の画像を表示するかを決定することができる。
【００３３】
また，図３（Ｃ）に示すように，ネックストラップ２０の取り付け部３０に表示逆転スイッチ１０３を取り付けることもできる。この例において，表示逆転スイッチ１０３は携帯情報端末１０の内部に備え付けられ，外部の取り付け部３０と接続されている。
【００３４】
この場合には，携帯情報端末１０の未操作時には，携帯情報端末１０自身の重さでネックストラップ２０がピンと張り，そのネックストラップ２０の張力により取り付け部３０が引っ張られ，それに接続されている表示逆転スイッチ１０３が自動的にＯＮとなる（図３（Ｄ）参照）。携帯情報端末１０の操作時には，ネックストラップ２０の張りがゆるむため，表示逆転スイッチ１０３が自動的にＯＦＦとなる（図３（Ｅ）参照）。
【００３５】
〔実施の形態２〕
図４は，本発明の実施の形態２における携帯情報端末の構成例を示す図である。携帯情報端末１０は，ＣＰＵ等の主制御部１０１と，操作キー，タッチパネル等の入力部１０２と，アプリケーションプログラム等の処理を行う端末情報処理部１０４と，アプリケーションプログラム等による画像表示を制御する端末表示制御部１０５と，スクリーンセーバーの起動を監視するスクリーンセーバー起動部１０６と，スクリーンセーバーの表示を制御するスクリーンセーバー表示制御部１０７と，表示するスクリーンセーバーの画像データが記憶されているスクリーンセーバーデータ記憶部１０８と，表示する画像を切替える切替部１０９と，画像を表示する表示部１１０と，スクリーンセーバーを逆転表示するか否かを設定する表示逆転設定部１１１とから構成される。
【００３６】
ここで，本実施の形態２では，正方向のスクリーンセーバーの画像データと，上下が逆方向のスクリーンセーバーの画像データとが，あらかじめスクリーンセーバーデータ記憶部１０８に記憶されているものとする。
【００３７】
ユーザは，あらかじめ操作キーやタッチパネル等の入力部１０２を用いて，スクリーンセーバーを逆転表示するか否かを設定する。ユーザによる設定は，表示逆転設定部１１１が保持する。デフォルト値は，例えば「スクリーンセーバーを逆転表示する」になっている。
【００３８】
また，操作キーやタッチパネル等の入力部１０２からの入力があると，端末情報処理部１０４はその入力に対応する処理を実行する。その際，端末表示制御部１０５は画面に表示する必要のある画像のデータを切替部１０９に送る。
【００３９】
スクリーンセーバー起動部１０６は，入力部１０２からの入力をタイマー監視し，あらかじめ規定された時間，入力がなければ，スクリーンセーバーの起動をスクリーンセーバー表示制御部１０７に通知する。このとき，スクリーンセーバーを起動する旨の通知を切替部１０９に送る。その後，入力部１０２による入力があれば，スクリーンセーバーを終了する旨の通知をスクリーンセーバー表示制御部１０７と切替部１０９とに送る。
【００４０】
スクリーンセーバー表示制御部１０７は，スクリーンセーバー起動部１０６からスクリーンセーバーを起動する旨の通知を受けると，スクリーンセーバーデータ記憶部１０８からスクリーンセーバーの画像データを取得し，取得した画像データを切替部１０９に送る。このとき，表示逆転設定部１１１の設定により，スクリーンセーバーを逆転表示するのであれば，上下が逆方向のスクリーンセーバーの画像データを送り，スクリーンセーバーを逆転表示しないのであれば，正方向のスクリーンセーバーの画像データを送る。
【００４１】
切替部１０９は，スクリーンセーバーを起動する旨の通知がある場合には，スクリーンセーバー表示制御部１０７から送られたスクリーンセーバーの画像データを表示部１１０に送る。スクリーンセーバーを起動する旨の通知がない場合には，端末表示制御部１０５から送られた画像データを表示部１１０に送る。
【００４２】
図５は，本実施の形態２におけるスクリーンセーバー起動処理フローチャートである。まず，タイマーを起動する（ステップＳ３０）。外部からの操作を監視し（ステップＳ３１），操作が検出されれば，タイマーをリセットし（ステップＳ３２），操作に対応する処理を実行し（ステップＳ３３），ステップＳ３０に戻る。
【００４３】
タイマーの値があらかじめ設定されている規定時間を越えるまで，外部からの操作が検出されない状態が継続した場合には（ステップＳ３４），ステップＳ３５へ進み，スクリーンセーバーを起動する。次に，表示逆転設定部１１１の設定を確認し（ステップＳ３６），設定が逆転表示であれば，上下が逆方向のスクリーンセーバーの画像を表示し（ステップＳ３７），設定が逆転表示でなければ，正方向のスクリーンセーバーの画像を表示する（ステップＳ３８）。
【００４４】
その後，外部からの操作を監視し（ステップＳ３９），操作が検出されれば，スクリーンセーバーを終了し（ステップＳ４０），ステップＳ３３に戻る。
【００４５】
〔実施の形態３〕
図６は，本発明の実施の形態３における携帯情報端末の構成例を示す図である。携帯情報端末１０は，ＣＰＵ等の主制御部１０１と，操作キー，タッチパネル等の入力部１０２と，画像を逆転表示させるための切替手段である表示逆転スイッチ１０３と，アプリケーション等の処理を行う端末情報処理部１０４と，アプリケーション等による画像表示を制御する端末表示制御部１０５と，スクリーンセーバーの起動を監視するスクリーンセーバー起動部１０６と，スクリーンセーバーの表示を制御するスクリーンセーバー表示制御部１０７と，表示するスクリーンセーバーの画像データが記憶されているスクリーンセーバーデータ記憶部１０８と，表示する画像を切替える切替部１０９と，画像を表示する表示部１１０と，スクリーンセーバーの画像を上下逆転するスクリーンセーバー逆転部１１２から構成される。
【００４６】
ここで，本実施の形態３では，正方向のスクリーンセーバーの画像データのみがあらかじめスクリーンセーバーデータ記憶部１０８に記憶されているものとする。
【００４７】
操作キーやタッチパネル等の入力部１０２からの入力があると，端末情報処理部１０４はその入力に対応する処理を実行する。その際，端末表示制御部１０５は画面に表示する必要のある画像のデータを切替部１０９に送る。
【００４８】
スクリーンセーバー起動部１０６は，入力部１０２からの入力をタイマー監視し，あらかじめ規定された時間，入力がなければ，スクリーンセーバーの起動をスクリーンセーバー表示制御部１０７に通知する。このとき，スクリーンセーバーを起動する旨の通知を切替部１０９に送る。その後，入力部１０２による入力があれば，スクリーンセーバーを終了する旨の通知をスクリーンセーバー表示制御部１０７と切替部１０９とに送る。
【００４９】
スクリーンセーバー表示制御部１０７は，スクリーンセーバー起動部１０６からスクリーンセーバーを起動する旨の通知を受けると，スクリーンセーバーデータ記憶部１０８からスクリーンセーバーの画像データを取得し，取得した画像データをスクリーンセーバー逆転部１１２に送る。
【００５０】
スクリーンセーバー逆転部１１２は，表示逆転スイッチ１０３がＯＦＦになっていれば，スクリーンセーバー表示制御部１０７から送られてきたスクリーンセーバーの画像データをそのまま切替部１０９に送る。表示逆転スイッチ１０３がＯＮになっていれば，スクリーンセーバー表示制御部１０７から送られてきたスクリーンセーバーの画像データをその上下が逆転した画像データに変換し，その変換した画像データを切替部１０９に送る。
【００５１】
切替部１０９は，スクリーンセーバーを起動する旨の通知がある場合には，スクリーンセーバー逆転部１１２から送られたスクリーンセーバーの画像データを表示部１１０に送る。スクリーンセーバーを起動する旨の通知がない場合には，端末表示制御部１０５から送られた画像データを表示部１１０に送る。
【００５２】
図７は，本実施の形態３におけるスクリーンセーバー起動処理フローチャートである。まず，タイマーを起動する（ステップＳ５０）。外部からの操作を監視し（ステップＳ５１），操作が検出されれば，タイマーをリセットし（ステップＳ５２），操作に対応する処理を実行し（ステップＳ５３），ステップＳ５０に戻る。
【００５３】
タイマーの値があらかじめ設定されている規定時間を越えるまで，外部からの操作が検出されない状態が継続した場合には（ステップＳ５４），ステップＳ５５へ進み，スクリーンセーバーを起動する。次に，表示逆転スイッチ１０３のＯＮ／ＯＦＦを確認し（ステップＳ５６），ＯＦＦであれば，ステップＳ５８へ進み，ＯＮであれば，スクリーンセーバーの画像データを上下逆転する（ステップＳ５７）。ステップＳ５８では，表示逆転スイッチ１０３の状態に応じて，正方向または上下逆転されたスクリーンセーバーの画像を表示する。
【００５４】
その後，外部からの操作を監視し（ステップＳ５９），操作が検出されれば，スクリーンセーバーを終了し（ステップＳ６０），ステップＳ５３に戻る。
【００５５】
なお，本実施の形態３において，表示逆転スイッチ１０３の代わりに表示逆転設定部１１１を備える構成にしてもよい。
【００５６】
〔実施の形態４〕
実施の形態４の構成は，図４に示す実施の形態２の構成例において，表示逆転設定部１１１が省かれた構成になっている。スクリーンセーバーデータ記憶部１０８には，あらかじめ操作時における表示部１０の画面の上方向が画像の下方向に，表示部１０の画面の下方向が画像の上方向に対応するように天地を逆転したスクリーンセーバーの画像データが記憶される。スクリーンセーバーデータ記憶部１０８は，あらかじめ定められた時間を超えて未操作状態が続いたときに，スクリーンセーバーデータ記憶部１０８に記憶された天地を逆転したスクリーンセーバーの画像データを切替部１０９を介して表示部１１０の画面に表示する。
【００５７】
以上，本発明の実施の形態１〜４について説明したが，本発明はこれらの形態に限られるものではない。例えば，本実施の形態ではスクリーンセーバーのみの上下逆転を行っているが，通常のアプリケーションプログラム（例えば，イベント案内アプリケーションなど）の画像を上下逆転表示するようにしてもよい。その場合には，例えば，表示逆転スイッチ１０３や表示逆転設定部１１１からの画像を逆転するか否かの信号を，端末表示制御部１０５に送るようにすればよい。
【実施例】
【００５８】
図８は，本発明の実施例における携帯情報端末の使用例を示す図である。図８（Ａ）は携帯情報端末１０の未操作時の例を示し，図８（Ｂ）は携帯情報端末１０の操作時の例を示す。この使用例では，ネックストラップ２０は携帯情報端末１０の下部に取り付けられている。
【００５９】
図８（Ａ）に示すように，本実施例における携帯情報端末１０はネックストラップ２０が携帯情報端末１０の下部に取り付けられているため，未操作時に携帯情報端末１０をネットストラップ２０により首につり下げている状態では，携帯情報端末１０の下部が上側になる。しかし，画像の上下逆転表示が可能であるため，表示される画像は見た目上で天地が逆にならない。
【００６０】
また，図８（Ｂ）に示すように，本実施例における携帯情報端末１０はネックストラップ２０が携帯情報端末１０の下部に取り付けられているため，操作時にネックストラップ２０の紐の一部が携帯情報端末１０の画面に掛かることはないので，便利である。
【００６１】
このような携帯情報端末１０を使用することにより，例えば  イベント会場などにおいて，そのスタッフが，操作時には図８（Ｂ）のようにして容易に操作できるようになり，未操作時にはイベント案内などを図８（Ａ）のようにして客に対して見せることができるようになる。
【００６２】
以上説明した本発明の実施の形態，実施例の特徴は，以下のとおりである。
【００６３】
（付記１）
携帯情報装置であって，
通常の画像のデータとともに，その通常の画像のデータの天地を逆転した画像のデータを記憶する画像データ記憶手段と，
切替手段と，
前記切替手段が第１の状態である場合に，前記画像データ記憶手段に記憶されている天地を逆転した画像を表示し，前記切替手段が第２の状態である場合に，前記画像データ記憶手段に記憶されている通常の画像を表示する表示制御手段とを備える
ことを特徴とする携帯情報装置。
【００６４】
（付記２）
携帯情報装置であって，
表示画像のデータを記憶する画像データ記憶手段と，
切替手段と，
前記切替手段が第１の状態である場合に，前記画像データ記憶手段に記憶されている表示画像のデータを天地を逆転した画像のデータに変換し，その天地を逆転した画像を表示し，前記切替手段が第２の状態である場合に，前記画像データ記憶手段に記憶されている表示画像を表示する表示制御手段とを備える
ことを特徴とする携帯情報装置。
【００６５】
（付記３）
付記１または付記２に記載の携帯情報装置において，
ストラップを取り付ける取り付け部を備え，
前記切替手段は前記取り付け部に連動し，前記ストラップに張力が働くときに前記取り付け部を介して前記切替手段が第１の状態になり，前記ストラップに張力が働かないときに前記取り付け部を介して前記切替手段が第２の状態になる
ことを特徴とする携帯情報装置。
【００６６】
（付記４）
携帯情報装置であって，
通常の画像のデータとともに，その通常の画像のデータの天地を逆転した画像のデータを記憶する画像データ記憶手段と，
表示画像の天地を逆転する第１の状態と，表示画像の天地を逆転しない第２の状態とのいずれかを設定する設定情報の入力手段と，
前記設定情報が第１の状態である場合に，前記画像データ記憶手段に記憶されている天地を逆転した画像を表示し，前記設定情報が第２の状態である場合に，前記画像データ記憶手段に記憶されている通常の画像を表示する表示制御手段とを備える
ことを特徴とする携帯情報装置。
【００６７】
（付記５）
携帯情報装置であって，
表示画像のデータを記憶する画像データ記憶手段と，
表示画像の天地を逆転する第１の状態と，表示画像の天地を逆転しない第２の状態とのいずれかを設定する設定情報の入力手段と，
前記設定情報が第１の状態である場合に，前記画像データ記憶手段に記憶されている表示画像のデータを天地を逆転した画像のデータに変換し，その天地を逆転した画像を表示し，前記設定情報が第２の状態である場合に，前記画像データ記憶手段に記憶されている表示画像を表示する表示制御手段とを備える
ことを特徴とする携帯情報装置。
【００６８】
（付記６）
付記１から付記５までのいずれかに記載の携帯情報装置において，
前記天地を逆転して表示される画像は，スクリーンセーバーの画像である
ことを特徴とする携帯情報装置。
【００６９】
（付記７）
スクリーンセーバーを有する携帯情報装置であって，
操作時における画面の上方向が画像の下方向に，画面の下方向が画像の上方向に対応するように天地を逆転したスクリーンセーバーの画像データを記憶する画像データ記憶手段と，
あらかじめ定められた時間を超えて無操作状態が続いたときに，前記画像データ記憶手段に記憶された天地を逆転したスクリーンセーバーの画像データを画面に表示するスクリーンセーバーの表示制御手段とを備える
ことを特徴とする携帯情報装置。
【００７０】
（付記８）
携帯情報装置に，
切替手段が第１の状態である場合に，画像データ記憶手段に記憶されている天地を逆転した画像データを読み出して画面に表示する手順と，
前記切替手段が第２の状態である場合に，前記画像データ記憶手段に記憶されている前記天地を逆転した画像データに対応する通常の画像データを読み出して前記画面に表示する手順と，
を実行させるためのプログラム。
【００７１】
（付記９）
携帯情報装置に，
切替手段が第１の状態である場合に，画像データ記憶手段に記憶されている表示画像データを読み出して天地を逆転した画像データに変換して画面に表示する手順と，
前記切替手段が第２の状態である場合に，前記画像データ記憶手段に記憶されている前記表示画像データを読み出して前記画面に表示する手順と，
を実行させるためのプログラム。
【図面の簡単な説明】
【００７２】
【図１】本発明の実施の形態１における携帯情報端末の構成例を示す図である。
【図２】本実施の形態１におけるスクリーンセーバー起動処理フローチャートである。
【図３】本実施の形態における表示逆転スイッチの例を説明する図である。
【図４】本発明の実施の形態２における携帯情報端末の構成例を示す図である。
【図５】本実施の形態２におけるスクリーンセーバー起動処理フローチャートである。
【図６】本発明の実施の形態３における携帯情報端末の構成例を示す図である。
【図７】本実施の形態３におけるスクリーンセーバー起動処理フローチャートである。
【図８】本発明の実施例における携帯情報端末の使用例を示す図である。
【図９】携帯情報端末の上部にネックストラップを取り付けた場合の例を示す図である。
【図１０】携帯情報端末の下部にネックストラップを取り付けた場合の例を示す図である。
【符号の説明】
【００７３】
１０  携帯情報端末
２０  ネックストラップ
３０  取り付け部
５０  携帯情報端末
６０  ネックストラップ
１０１  主制御部
１０２  入力部
１０３  表示逆転スイッチ
１０４  端末情報処理部
１０５  端末表示制御部
１０６  スクリーンセーバー起動部
１０７  スクリーンセーバー表示制御部
１０８  スクリーンセーバーデータ記憶部
１０９  切替部
１１０  表示部
１１１  表示逆転設定部
１１２  スクリーンセーバー逆転部
【図１】
2006059290.tif 000003
【図２】
2006059290.tif 000004
【図３】
2006059290.tif 000005
【図４】
2006059290.tif 000006
【図５】
2006059290.tif 000007
【図６】
2006059290.tif 000008
【図７】
2006059290.tif 000009
【図８】
2006059290.tif 000010
【図９】
2006059290.tif 000011
【図１０】
2006059290.tif 000012